(57)【要約】      （修正有）【課題】柱状のガラス管などの透明管内に密封された高輝度ＬＥＤを使用したＬＥＤ照明灯において、発生する熱をＬＥＤを取り付けたアルミニュームなどの押し出し材の押し出し方向末端に設けた柱状の押し出し材からなるヒートシンクに伝導させ、冷却することにより、ＬＥＤの破壊及び劣化を防ぐ。【解決手段】ガラス管などの透明な中空部に設けた押し出し材からなるＬＥＤ取付台に高輝度ＬＥＤ構成することにより、前記ＬＥＤからの熱を前記ＬＥＤ取付台末端に構成させた複数のフィンを構成したヒートシンクに前記ＬＥＤ取付台に設けた小突起を構成した接続部を前記ヒートシンクに構成した対応する接続穴に挿入して圧力により前記ＬＥＤ取付台と前記ヒートシンクを接続することにて伝導させ前記ヒートシンクに構成したフィンから外気に放出することにより冷却し、熱による劣化及び破壊からＬＥＤを守る。【選択図】図３
2010129536.tif 000002
【特許請求の範囲】
【請求項１】
透明な中空部を構成した柱状の保護管（９）内に構成された押し出し材より製作される、ＬＥＤ（１０）を取り付けたＬＥＤ取付台（Ａ）の押し出し方向の前記円柱状保護管外の末端に押し出し材より製作される柱状のヒートシンク（Ｂ）を構成し、前記ＬＥＤ取付台（Ａ）より発生する熱を前記ヒートシン（Ｂ）クより放熱するＬＥＤ照明灯において、前記ＬＥＤ取付台（Ａ）に構成された、小突起を備えた接続部（４）を前記ヒートシンク（Ｂ）に構成した、接続部（４）が対応するＬＥＤ取付台接続部（６）に挿入し、接続部（４）に構成された、中空部を構成した接続ねじ穴（３）にねじで締結することにより前記ＬＥＤ取付台（Ａ）と前記ヒートシンク（Ｂ）を接続することを特徴とするＬＥＤ照明灯。
【請求項２】
透明な中空部を構成した柱状の保護管（９）内に構成された押し出し材より製作される、ＬＥＤ（１０）を取り付けたＬＥＤ取付台（Ａ）の押し出し方向の前記円柱状保護管外の末端に押し出し材より製作される柱状のヒートシンク（Ｂ）を構成し、前記ＬＥＤ取付台（Ａ）より発生する熱を前記ヒートシン（Ｂ）クより放熱するＬＥＤ照明灯において、前記ＬＥＤ取付台（Ａ）に構成された、接続部（４）を前記ヒートシンク（Ｂ）に構成した、接続部（４）が対応するＬＥＤ取付台接続部（６）に挿入し、接続部（４）に構成された、中空部を構成した接続ねじ穴（３）にねじで締結することにより前記ＬＥＤ取付台（Ａ）と前記ヒートシンク（Ｂ）を接続することを特徴とするＬＥＤ照明灯。
【発明の詳細な説明】
【技術分野】
【０００１】本発明は、ＬＥＤ照明灯の構造に利用される。
【技術背景】
【０００２】ＬＥＤ照明に使われる、ＬＥＤは、発光時における熱により性能の劣化などがおきるため、生じる熱の放熱を行う放熱器（以下ヒートシンクと呼ぶ）が必要となる。特に高輝度を必要とする、ＬＥＤを保護のため透明なアクリルやガラス管内などに密封する場合、その際の密封された環境におけるＬＥＤ冷却が必要となってくる。
【発明の開示】
【発明が解決しようとする課題】
【０００３】本発明は、柱状のガラス管などの透明管内に密封された高輝度ＬＥＤを使用したＬＥＤ照明灯において、発生する熱をＬＥＤを取り付けたアルミニュームなどの押し出し材の押し出し方向末端に設けた柱状の押し出し材からなるヒートシンクに伝導させ、冷却することにより、ＬＥＤの破壊及び劣化を防ぐものである。
【課題を解決するための手段】
【０００４】本発明は、ガラス管などの透明な中空部に設けた押し出し材からなるＬＥＤ取付台に高輝度ＬＥＤ構成することにより、前記ＬＥＤからの熱を前記ＬＥＤ取付台末端に構成させた複数のフィンを構成したヒートシンクに前記ＬＥＤ取付台に設けた小突起を構成した接続部を前記ヒートシンクに構成した対応する接続穴に挿入して圧力により前記ＬＥＤ取付台と前記ヒートシンクを接続することにて伝導させ前記ヒートシンクに構成したフィンから外気に放出することにより冷却し、熱による劣化及び破壊からＬＥＤを守る。
【発明の効果】
【０００５】密封された環境においても、ＬＥＤから発せられる熱を、外気に放熱できるのでＬＥＤの劣化及び破壊を防ぐことができる。
【発明を実施するための最良の形態】
【０００６】以下、本発明の実施の形態を図１から図２を使用して説明する。【０００７】図１の図（１ａ）は、本発明によるアルミニュームなどからなる押し出し材から作られるＬＥＤ取付台（Ａ）である、取付部（１）の平らな面はＬＥＤが取り付けられる部分である、その反対方向に構成した、本体接続部（５）におけるタップねじ用ねじ穴（２）は、前記ＬＥＤ取付台（Ａ）をＬＥＤ照明本体に組みつけるためのものである、前記タップねじ用ねじ穴（２）が完全な円形でないのは、押し出し材で製造する場合の技法のためである、前記ＬＥＤ取付台（Ａ）左右に構成されたヒートシンクとの接続部（４）は、その表面に小突起が構成されている、（３）の部分がヒートシンクと前記取付台（Ａ）を接続する際の接続ねじ穴である、図（２ａ）は、前記ＬＥＤ取付台（Ａ）からの熱を放熱するための、複数のフィン（８）を構成した押し出し材から作られるヒートシンク（Ｂ）である、（６）はＬＥＤ取付台接続部であり（７）のＬＥＤ取付台接続部穴に前記ＬＥＤ取付台（Ａ）のヒートシンク（Ｂ）との接続部（４）が挿入される。【０００８】図２の図（１ｂ）は、前記ＬＥＤ取付台（Ａ）のヒートシンク（Ｂ）との接続部（４）をヒートシンク（Ｂ）のＬＥＤ取付台接続部穴（７）に挿入した図である、図（２ｂ）は、図（１ｂ）で示した挿入後に接続ねじ穴（３）に、タッピングねじ（ＴＰ１）を締結した図である、接続ねじ穴（３）は、前記タッピングねじ（ＴＰ１）より小さく構成されているので、タピングねじ（ＴＰ１）締結によって、ＬＥＤ取付台接続部（６）とヒートシンク（Ｂ）との接続部（４）が矢印の方向に膨れ上がり、ヒートシンク（Ｂ）との接続部（４）とＬＥＤ取付台接続部（６）の接続を強固なものにし、かつヒートシンク（Ｂ）との接続部（４）に設けた小突起に熱伝導性を向上させるシリコングリースを塗布することにより、シリコングリースが、前記小突起部と小突起の間の空間に入り込み、ヒートシンク（Ｂ）との接続部（４）とＬＥＤ取付台接続部（６）の接触面を均一にかつ大きくできるので、前記ＬＥＤ取付台（Ａ）からの熱を前記ヒートシンク（Ｂ）に伝導する際に生じる、接続による伝導抵抗を少なくできる。【０００９】図３の図（１ｃ）は、本発明による、ＬＥＤ照明灯の組み立て斜視図である、（１０）は本発明によるＬＥＤ取付台（ＴＰ２）で組み立てるためのエンドキャップであり、（９）はＬＥＤ保護のための、ガラスやアクリルなどで作られる透明な保護管である、
図（２ｃ）は、本発明による照明灯の正面図である。
【図面の簡単な説明】
【００１０】
【図１】（１ａ）ＬＥＤ取付台（２ａ）ヒートシンク
【図２】（１ｂ）ＬＥＤ取付台をヒートシンクに挿入した図（２ｂ）ＬＥＤ取付台をヒートシンクにねじにより締結した図
【図３】（１ｃ）本発明によるＬＥＤ照明灯組み立て斜視図（２ｃ）本発明によるＬＥＤ照明灯正面図
【符号の説明】
【００１１】１．取付部
２．タップねじ用ねじ穴
３．ヒートシンク（Ｂ）と前記取付台（Ａ）を接続する際の接続ねじ穴
４．ヒートシンクと前記取付台（Ａ）の接続部
５．本体接続部
６．ＬＥＤ取付台接続部
７．ＬＥＤ取付台接続部穴
８．フィン
９．アクリル管
１０．エンドキャップ
ＴＰ１．タッピングねじ
ＴＰ２．タッピングねじ
Ａ．ＬＥＤ取付台
Ｂ．ヒートシンク
【図１】
2010129536.tif 000003
【図２】
2010129536.tif 000004
【図３】
2010129536.tif 000005